(57)【要約】      （修正有）【課題】通信機能を具えたカードリーダーを提供する。【解決手段】本考案の通信機能を具えたカードリーダー１は、トップカバー１０、一側に第１開放溝を具えたボトムカバー２０、プリント回路板３０、第１の取り外し可能メモリカード１２０を挿入できる第１メモリスロット４０、該第１の取り外し可能メモリカードのアクセスをコントロールできるプロセッサ５０、無線通信モジュール６０、カードリーダーコントローラー、コネクタ８０、充電回路、充電電池、及び電圧安定化回路を包含する。ポータブルデジタルデバイスにより無線方式で該第１の取り外し可能メモリカード中のデータにアクセスするか、或いはホストで該コネクタを介して該第１の取り外し可能メモリカード中のデータにアクセスできる。【選択図】図１
0003180552.tif 000002
【実用新案登録請求の範囲】
【請求項１】
通信機能を具えたカードリーダーにおいて、
トップカバー、
該トップカバーに閉じ合わされて収容空間を形成し、一側に第１開放溝を具え、該第１開放溝の下方に第２開放溝を具えたボトムカバー、
該収容空間中に設置されるプリント回路板、
該プリント回路板上に設置され且つ該第１開放溝において露出し、第１の取り外し可能メモリカードが挿入される第１メモリカードスロット、
該プリント回路板上に設置され且つ該第１メモリカードスロットに接続されて、該第１の取り外し可能メモリカードのアクセスを制御できるプロセッサ、
該プリント回路板上に設置されると共に該プロセッサに接続され、該プロセッサの制御を受けて無線通信を実行する無線通信モジュール、
該プリント回路板上に設置され且つ該プロセッサに接続されるカードリーダーコントローラー、
該プリント回路板上に設置され且つ該第２開放溝において露出し、該カードリーダーコントローラーに接続されて、ケーブルを介してホストに接続されることで、直流電源を取得するコネクタ、
該プリント回路板上に設置され且つ該プロセッサ及び該カードリーダーコントローラーに接続され、該直流電源を受け取り並びに充電電源を出力できる充電回路、
該充電回路に接続されて、該充電電源を受けて充電された後に電池電源を出力する充電電池、
該プリント回路板上に設置され該プロセッサ、該第１メモリカードスロット及び該無線通信モジュールに接続され、該電池電源を電圧安定化後に該プロセッサ、該第１メモリカードスロット及び該無線通信モジュールに出力する電圧安定化回路、
以上を包含し、ポータブルデジタルデバイスにより無線方式で該第１の取り外し可能メモリカード中のデータにアクセスするか、或いはホストで該コネクタを介して該第１の取り外し可能メモリカード中のデータにアクセスできることを特徴とする、通信機能を具えたカードリーダー。
【請求項２】
請求項１記載の通信機能を具えたカードリーダーにおいて、該ボトムカバーの他側に第３開放溝が設けられ、該第３開放溝の下方に第４開放溝及び第５開放溝が設けられたことを特徴とする、通信機能を具えたカードリーダー。
【請求項３】
請求項２記載の通信機能を具えたカードリーダーにおいて、第２メモリカードスロットをさらに具え、該第２メモリカードスロットは該プリント回路板上に設けられ且つ該第３開放溝において露出し、第２の取り外し可能メモリカードの挿入に供されることを特徴とする、通信機能を具えたカードリーダー。
【請求項４】
請求項３記載の通信機能を具えたカードリーダーにおいて、該第１メモリカードスロットはマイクロＳＤ（登録商標）カードスロットとされ、該第２メモリカードスロットはＳＤカードスロットとされ、該第１の取り外し可能メモリカードはマイクロＳＤ（登録商標）カードとされ、該第２の取り外し可能メモリカードはＳＤカードとされることを特徴とする、通信機能を具えたカードリーダー。
【請求項５】
請求項１記載の通信機能を具えたカードリーダーにおいて、電源スイッチをさらに具え、該電源スイッチは該プリント回路板上に設置され且つ該第４開放溝において露出し、該電源スイッチは該電圧安定化回路の出力端に接続されて、該プロセッサ、該第１メモリスロット及び該無線通信モジュールに出力される電池電源をオン或いはオフするのに供されることを特徴とする、通信機能を具えたカードリーダー。
【請求項６】
請求項１記載の通信機能を具えたカードリーダーにおいて、発光ダイオードとレンズをさらに具え、そのうち、該発光ダイオードは該プリント回路板上に置かれ且つ該カードリーダーコントローラーに接続され、該レンズは該発光ダイオードの外側に嵌合され且つ該第５開放溝において露出し、該カードリーダーコントローラーの動作状態を表示するのに供されることを特徴とする、通信機能を具えたカードリーダー。
【請求項７】
請求項１記載の通信機能を具えたカードリーダーにおいて、該ホストはコンピュータとされ、該コネクタは、ＵＳＢ２．０コネクタ或いはＵＳＢ３．０コネクタとされることを特徴とする、通信機能を具えたカードリーダー。
【請求項８】
請求項３記載の通信機能を具えたカードリーダーにおいて、該プロセッサはマイクロコントローラとされ、それはそれぞれＳＤカードインタフェース、ＳＤＩＯインタフェース、及びＳＤＨＣインタフェースを具え、該ＳＤＩＯインタフェースは該無線通信モジュールに接続され、該ＳＤＨＣインタフェースは該無線通信モジュールの該第１の取り外し可能メモリカード及び該第２の取り外し可能メモリカードに接続され、該カードリーダーコントローラーはＳＤカードインタフェース及びＵＳＢインタフェースを具え、該カードリーダーコントローラーのＳＤカードインタフェースは該プロセッサのＳＤカードインタフェースに接続され、該ＵＳＢインタフェースは該コネクタに接続されることを特徴とする、通信機能を具えたカードリーダー。
【請求項９】
請求項１記載の通信機能を具えたカードリーダーにおいて、該無線通信モジュールはＷｉＦｉ無線通信モジュール或いは３Ｇ無線通信モジュールとされ、且つ該無線通信モジュールはさらにアンテナを具えたことを特徴とする、通信機能を具えたカードリーダー。
【請求項１０】
請求項１記載の通信機能を具えたカードリーダーにおいて、該直流電源及び電池電源はいずれも直流３．３Ｖとされることを特徴とする、通信機能を具えたカードリーダー。
【請求項１１】
請求項１記載の通信機能を具えたカードリーダーにおいて、該充電電池はリチウムイオン充電電池とされることを特徴とする、通信機能を具えたカードリーダー。
【請求項１２】
請求項１記載の通信機能を具えたカードリーダーにおいて、装飾トップカバーと装飾ボトムカバーをさらに包含し、該装飾トップカバーは該トップカバーの外側に嵌合され、該装飾ボトムカバーは該ボトムカバーの外側に嵌合されることを特徴とする、通信機能を具えたカードリーダー。
【考案の詳細な説明】
【技術分野】
【０００１】
本考案は一種のカードリーダーに係り、特に、通信機能を具えたカードリーダーに関する。
【背景技術】
【０００２】  米国のアップル社の（公序良俗違反につき、不掲載）タブレットＰＣは、その販売以来、大歓迎されているが、（公序良俗違反につき、不掲載）は一種のクローズドシステムであり、ＵＳＢインタフェースに類似のコネクタ或いはカードリーダースロットを有していない。このためそのビルトインされたメモリ容量が使い果たされると、ファイルを削除する以外には、メモリ中のデータのバックアップ或いはメモリの拡充はできない。【０００３】
現在市販されているフラッシュメモリ保存カードの種類は非常に多く、そのうち、ＳＤカードは容量が大きく且つ価格が比較的便宜である優勢を有し、このため、現在大部分のポータブルコンシューミングデジタルデバイス、たとえば、デジタルカメラ及びデジタルビデオカメラはいずれもＳＤカードスロットを配備しており、それにより消費者がメモリカードを購入するコストを下げている。
【０００４】  ただし、現在市販されているフラッシュメモリカードリーダーは、フラッシュメモリカード中の内容にアクセスする以外に、無線伝送の機能は有していない。このため、（公序良俗違反につき、不掲載）タブレットＰＣに類似のポータブルデジタルデバイスは、無線方式では該カードリーダー中のフラッシュメモリカード中の内容にアクセスしてデータのバックアップ或いはメモリの拡充の目的を達成することができず、これが、残念なところである。【０００５】
上述の周知のカードリーダーの欠点に対して、本考案は一種の通信機能を具えたカードリーダーを提供し、上述の欠点を改善する。
【考案の概要】
【考案が解決しようとする課題】
【０００６】
本考案の目的は、一種の通信機能を具えたカードリーダーを提供することにあり、それは無線通信モジュールがビルトインされ、ポータブルデジタルデバイスが無線方式で伝送したデータを受信し、並びにそれをメモリカード中に保存でき、こうしてデータのバックアップ或いはメモリ容量拡充の目的を達成できるものとする。
【課題を解決するための手段】
【０００７】
上述の目的を達成するため、本考案の通信機能を具えたカードリーダーは、
トップカバー、
該トップカバーに閉じ合わされて収容空間を形成し、その一側に第１開放溝を具え、該第１開放溝の下方に第２開放溝を具えたボトムカバー、
該収容空間中に設置されるプリント回路板、
該プリント回路板上に設置され且つ該第１開放溝において露出し、第１の取り外し可能メモリカードが挿入される第１メモリカードスロット、
該プリント回路板上に設置され且つ該第１メモリカードスロットに接続されて、該第１の取り外し可能メモリカードのアクセスを制御できるプロセッサ、
該プリント回路板上に設置されると共に該プロセッサに接続され、該プロセッサの制御を受けて無線通信を実行する無線通信モジュール、
該プリント回路板上に設置され且つ該プロセッサに接続されるカードリーダーコントローラー、
該プリント回路板上に設置され且つ該第２開放溝において露出し、該カードリーダーコントローラーに接続されて、ケーブルを介してホストに接続されることで、直流電源を取得するコネクタ、
該プリント回路板上に設置され且つ該プロセッサ及び該カードリーダーコントローラーに接続され、該直流電源を受け取り並びに充電電源を出力できる充電回路、
該充電回路に接続されて、該充電電源を受けて充電された後に電池電源を出力する充電電池、
該プリント回路板上に設置され該プロセッサ、該第１メモリカードスロット及び該無線通信モジュールに接続され、該電池電源を電圧安定化後に該プロセッサ、
該第１メモリカードスロット及び該無線通信モジュールに出力する電圧安定化回路、
以上を包含し、ポータブルデジタルデバイスにより無線方式で該第１の取り外し可能メモリカード中のデータにアクセスするか、或いはホストで該コネクタを介して該第１の取り外し可能メモリカード中のデータにアクセスできる。
【考案の効果】
【０００８】
総合すると、本考案の通信機能を具えたカードリーダーを実施し、そのビルトインされた無線通信モジュールが、ポータブルデジタルデバイスが無線方式で伝送したデータを受信し、並びにそれをメモリカード中に保存することにより、データのバックアップ或いはメモリ容量拡充の目的を達成することができ、これにより、本考案は確実に周知のカードリーダーに較べて進歩性を有している。
【図面の簡単な説明】
【０００９】
【図１】本考案の好ましい実施例の通信機能を具えたカードリーダーの分解図である。
【図２ａ】本考案の好ましい実施例の通信機能を具えたカードリーダーの前側組合せ表示図である。
【図２ｂ】本考案の好ましい実施例の通信機能を具えたカードリーダーの後側組合せ表示図である。
【図３】本考案の好ましい実施例の通信機能を具えたカードリーダーのブロック図である。
【図４】本考案の好ましい実施例の通信機能を具えたカードリーダーの使用表示図である。
【考案を実施するための形態】
【００１０】
本考案の技術内容、構造特徴、達成する目的を詳細に説明するため、以下に実施例を挙げ並びに図面を組み合わせて説明する。
【００１１】
図１から図４を併せて参照されたい。そのうち、図１は本考案の好ましい実施例の通信機能を具えたカードリーダーの分解図である。図２ａは本考案の好ましい実施例の通信機能を具えたカードリーダーの前側組合せ表示図である。図２ｂは本考案の好ましい実施例の通信機能を具えたカードリーダーの後側組合せ表示図である。図３は本考案の好ましい実施例の通信機能を具えたカードリーダーのブロック図である。図４は本考案の好ましい実施例の通信機能を具えたカードリーダーの使用表示図である。
【００１２】
図示されるように、本考案の通信機能を具えたカードリーダー１は、トップカバー１０、ボトムカバー２０、プリント回路板３０、第１メモリカードスロット４０、プロセッサ５０、無線通信モジュール６０、カードリーダーコントローラー７０、コネクタ８０、充電回路９０、充電電池１００、及び電圧安定化回路１１０を組み合わせてなる。
【００１３】
そのうち、該トップカバー１０は絶縁材料、たとえば、これに限定されるわけではないが、プラスチックで形成される。
【００１４】
該ボトムカバー２０は絶縁材料、たとえば、これに限定されるわけではないが、プラスチックで形成され、該トップカバー１０に閉じ合わされて、収容空間２１を形成でき、該ボトムカバー２０の一側、たとえば、これに限定されるわけではないが、右側に、第１開放溝２２があり、該第１開放溝２２の下方には第２開放溝２３がある。このほか、該ボトムカバー２０の他側にはさらに第３開放溝２４があり、また該第３開放溝２４の下方には第４開放溝２５及び第５開放溝２６がある。
【００１５】
該プリント回路板３０は該収容空間２１中に設置され、該第１メモリカードスロット４０、プロセッサ５０、無線通信モジュール６０、カードリーダーコントローラー７０、コネクタ８０、充電回路９０及び電圧安定化回路１１０等の素子を設置するのに供される。
【００１６】
該第１メモリカードスロット４０は該プリント回路板３０上に設置され該第１開放溝２２において露出し、第１の取り外し可能メモリカード１２０の挿入に供される。該取り外し可能メモリカード１２０は、たとえば、これに限定されるわけではないが、マイクロＳＤ（登録商標）カードとされ得る。
【００１７】
該プロセッサ５０は該プリント回路板３０上に置かれ且つ該第１メモリカードスロット４０に接続されて、該第１の取り外し可能メモリカード１２０のアクセスを制御できる。そのうち、該プロセッサ５０は、たとえば、これに限定されるわけではないが、マイクロコントローラーとされ、それはＳＤカードインタフェース５１、ＳＤＩＯインタフェース５２、ＳＤＨＣインタフェース５３とを有する。そのうち、該ＳＤＩＯインタフェース５２は該無線通信モジュール６０に接続され、該ＳＤＨＣインタフェース５３は該第１メモリカードスロット４０に接続される。
【００１８】
該無線通信モジュール６０は、該プリント回路板３０上に設置され、且つ該プロセッサ５０に接続されて、該プロセッサ５０の制御を受けて、該第１の取り外し可能メモリカード１２０中のデータを、無線通信方式で、ポータブルデジタルデバイス２００に伝送できる。
【００１９】  そのうち、該無線通信モジュール６０は、たとえば、これに限定されるわけではないが、ＷｉＦｉ無線通信モジュール或いは３Ｇ無線通信モジュールとされ、該ポータブルデジタルデバイス２００は、たとえば、これに限定されるわけではないが、（公序良俗違反につき、不掲載）タブレットＰＣとされる。このほか、該無線通信モジュール６０はさらにアンテナ６１を具えて無線信号を発射或いは受信できる。
【００２０】
該カードリーダーコントローラー７０は、該プリント回路板３０上に置かれ、且つ該プロセッサ５０に接続されて、該第１の取り外し可能メモリカードのアクセスを制御できる。このほか、該カードリーダーコントローラー７０は、さらにＳＤカードインタフェース７１及びＵＳＢインタフェース７２を具えている。そのうち、該ＳＤカードインタフェース７１は該プロセッサ５０のＳＤカードインタフェース５１に接続され、該ＵＳＢインタフェース７２は該コネクタ８０に接続される。
【００２１】
該コネクタ８０は該プリント回路板３０上に設置され且つ該第２開放溝２３において露出し、それは該カードリーダーコントローラーに接続されて、ケーブル１３０を介してホスト２５０に接続されて、直流電源を取得する。そのうち、該コネクタ８０は、たとえば、これに限定されるわけではないが、ＵＳＢ２．０或いはＵＳＢ３．０コネクタとされ、該ホスト２５０は、たとえば、これに限定されるわけではないが、デスクトップ型コンピュータ或いはノートブック型コンピュータとされる。該ケーブル１３０は、たとえば、これに限定されるわけではないが、ＵＳＢ２．０或いはＵＳＢ３．０ケーブルとされ、該直流電源は、たとえば、これに限定されるわけではないが、直流３．３Ｖとされる。
【００２２】
該充電回路９０は、該プリント回路板３０上に置かれ、且つ該プロセッサ５０及び該カードリーダーコントローラー７０に接続されて、該直流電源を受け並びに充電電源（Ｖout）を該充電電池１００に出力し、該充電電池１００に対して充電を行う。このほか、該充電電池１００が充電飽和に達すると、該充電回路９０は信号を該プロセッサ５０に送出して通知する。
【００２３】
該充電電池１００は該充電回路９０に接続され、該充電電源（Ｖout）を受けて充電された後に電池電源（Ｖbat）を出力する。そのうち、該充電電池１００は、たとえば、これに限定されるわけではないが、リチウムイオン充電電池とされ、該電池電源は、たとえば、これに限定されるわけではないが、直流３．３Ｖとされる。
【００２４】
該電圧安定化回路１１０は該プリント回路板３０上に設置され、且つ該第１メモリカードスロット４０、該プロセッサ５０及び該無線通信モジュール６０に接続され、該電池電源を電圧安定化後に該第１メモリカードスロット４０、該プロセッサ５０及び該無線通信モジュール６０に出力し、その必要とする電源を供給する。
【００２５】
このほか、本考案のカードリーダー１は、さらに第２メモリカードスロット１４０を具え、それは、該プリント回路板３０上に設置され且つ該第３開放溝２４において露出し、第２の取り外し可能メモリカード１５０の挿入に供される。そのうち、該第２メモリカードスロット１４０は、たとえば、これに限定されるわけではないが、ＳＤカードスロットとされ、該第２の取り外し可能メモリカード１５０は、たとえば、これに限定されるわけではないが、ＳＤカードとされる。
【００２６】
このほか、本考案のカードリーダー１はさらに、電源スイッチ１６０を具え、それは該プリント回路板３０上に設置され且つ該第４開放溝２５において露出し、それは該電圧安定化回路１１０の出力端に接続されて、該第１メモリカードスロット４０、プロセッサ５０及び無線通信モジュール６０に出力される電池電源（Ｖbat）をオン或いはオフする。
【００２７】
このほか、本考案のカードリーダー１は、さらに発光ダイオード１７０及びレンズ１７５を具え、そのうち、該発光ダイオード１７０は該プリント回路板３０上に置かれ且つ該カードリーダーコントローラー７０に接続され、該レンズ１７５は該発光ダイオード１７０の外側に嵌合され且つ該第５開放溝２６において露出し、該カードリーダーコントローラー７０の動作状態を表示する。
【００２８】
このほか、本考案のカードリーダー１はさらに、装飾トップカバー１８０と装飾ボトムカバー１９０を具え、該装飾トップカバー１８０は該トップカバー１０の外側を被覆するように嵌合され、該装飾ボトムカバー１９０は該ボトムカバー２０の外側を被覆するように嵌合される。
【００２９】
図３に示されるように、該プロセッサ５０はＳＤカードインタフェース５１、ＳＤＩＯインタフェース５２及びＳＤＨＣインタフェース５３を具えている。そのうち、該ＳＤＩＯインタフェース５２は該無線通信モジュール６０に接続され、該ＳＤＨＣインタフェース５３は該第１メモリカードスロット４０に接続される。
【００３０】
該カードリーダーコントローラー７０はすなわちＳＤカードインタフェース７１及びＵＳＢインタフェース７２を具え、そのうち、該ＳＤカードインタフェース７１は該プロセッサ５０のＳＤカードインタフェース５１に接続され、該ＵＳＢインタフェース７２は該コネクタ８０に接続される。これにより、該カードリーダーコントローラー７０はＳＤカードインタフェース７１及びＵＳＢインタフェース７２の変換を実行でき、該プロセッサ５０を、該カードリーダーコントローラー７０を介してその他のＵＳＢインタフェースの装置（図示せず）にアクセス可能とする。
【００３１】
図４に示されるように、使用時には、まず、本考案のカードリーダー１を、ケーブル１３０で該ホスト２５０に接続し、該充電電池１００に対して充電する。このとき、該ホスト２５０はまたケーブル１３０を介して、第１の取り外し可能メモリカード１２０或いは第２の取り外し可能メモリカード１５０中のデータにアクセスできる。
【００３２】
該充電電池１００の電力が飽和した時、該充電回路９０は該プロセッサ５０に通知し、それ以上該充電回路９０に電力供給する必要がなく、このとき、該プロセッサ５０は該カードリーダーコントローラー７０に通知して直流電源を切断する。
【００３３】
該ポータブルデジタルデバイス２００が、無線方式により該無線通信モジュール６０に接続される時、該無線通信モジュール６０は、該プロセッサ５０に通知し、該プロセッサ５０は該カードリーダーコントローラー７０の該第１の取り外し可能メモリカード１２０或いは該第２の取り外し可能メモリカード１５０に対するアクセスをディスエーブルする。
【００３４】
このとき、該ポータブルデジタルデバイス２００は無線方式でそのデータを該第１の取り外し可能メモリカード１２０或いは第２の取り外し可能メモリカード１５０に保存でき、こうしてデータバックアップ或いはメモリ容量拡充の目的を達成できる。これにより、本考案の通信機能を具えたカードリーダー１は、周知の技術のカードリーダーに較べて、無線通信機能の長所を有している。
【００３５】
以上述べたことは、本考案の実施例にすぎず、本考案の実施の範囲を限定するものではなく、本考案の実用新案登録請求の範囲に基づきなし得る同等の変化と修飾は、いずれも本考案の実用新案登録請求範囲のカバーする範囲内に属するものとする。
【符号の説明】
【００３６】
１  カードリーダー
１０  トップカバー
２０  ボトムカバー
２１  収容空間
２２  第１開放溝
２３  第２開放溝
２４  第３開放溝
２５  第４開放溝
２６  第５開放溝
３０  プリント回路板
４０  第１メモリカードスロット
５０  プロセッサ
５１  ＳＤカードインタフェース
５２  ＳＤＩＯインタフェース
５３  ＳＤＨＣインタフェース
６０  無線通信モジュール
６１  アンテナ
７０  カードリーダーコントローラー
７１  ＳＤカードインタフェース
７２  ＵＳＢインタフェース
８０  コネクタ
９０  充電回路
１００  充電電池
１１０  電圧安定化回路
１２０  第１の取り外し可能メモリカード
１３０  ケーブル
１４０  第２メモリカードスロット
１５０  第２の取り外し可能メモリカード
１６０  電源スイッチ
１７０  発光ダイオード
１７５  レンズ
１８０  装飾トップカバー
１９０  装飾ボトムカバー
２００  ポータブルデジタルデバイス
２５０  ホスト
【図１】
0003180552.tif 000003
【図２ａ】
0003180552.tif 000004
【図２ｂ】
0003180552.tif 000005
【図３】
0003180552.tif 000006
【図４】
0003180552.tif 000007
【手続補正書】
【提出日】平成24年10月24日(2012.10.24)
【手続補正１】
【補正対象書類名】明細書
【補正対象項目名】０００２
【補正方法】変更
【補正の内容】
【０００２】
米国のアップル社のタブレット型コンピュータは、その販売以来、大歓迎されているが、タブレット型コンピュータは一種のクローズドシステムであり、ＵＳＢインタフェースに類似のコネクタ或いはカードリーダースロットを有していない。このためそのビルトインされたメモリ容量が使い果たされると、ファイルを削除する以外には、メモリ中のデータのバックアップ或いはメモリの拡充はできない。  
【手続補正２】
【補正対象書類名】明細書
【補正対象項目名】０００４
【補正方法】変更
【補正の内容】
【０００４】
ただし、現在市販されているフラッシュメモリカードリーダーは、フラッシュメモリカード中の内容にアクセスする以外に、無線伝送の機能は有していない。このため、タブレット型コンピュータに類似のポータブルデジタルデバイスは、無線方式では該カードリーダー中のフラッシュメモリカード中の内容にアクセスしてデータのバックアップ或いはメモリの拡充の目的を達成することができず、これが、残念なところである。  
【手続補正３】
【補正対象書類名】明細書
【補正対象項目名】００１６
【補正方法】変更
【補正の内容】
【００１６】
該第１メモリカードスロット４０は該プリント回路板３０上に設置され該第１開放溝２２において露出し、第１の取り外し可能メモリカード１２０の挿入に供される。該取り外し可能メモリカード１２０は、たとえば、これに限定されるわけではないが、マイクロＳＤカードとされ得る。  
【手続補正４】
【補正対象書類名】明細書
【補正対象項目名】００１９
【補正方法】変更
【補正の内容】
【００１９】
そのうち、該無線通信モジュール６０は、たとえば、これに限定されるわけではないが、ＷｉＦｉ無線通信モジュール或いは３Ｇ無線通信モジュールとされ、該ポータブルデジタルデバイス２００は、たとえば、これに限定されるわけではないが、タブレット型コンピュータとされる。このほか、該無線通信モジュール６０はさらにアンテナ６１を具えて無線信号を発射或いは受信できる。
【手続補正５】
【補正対象書類名】実用新案登録請求の範囲
【補正対象項目名】請求項４
【補正方法】変更
【補正の内容】
【請求項４】
請求項３記載の通信機能を具えたカードリーダーにおいて、該第１メモリカードスロットはマイクロＳＤカードスロットとされ、該第２メモリカードスロットはＳＤカードスロットとされ、該第１の取り外し可能メモリカードはマイクロＳＤカードとされ、該第２の取り外し可能メモリカードはＳＤカードとされることを特徴とする、通信機能を具えたカードリーダー。